(57)【要約】【課題】  スピーカから発生する振動により読み出しエラーが発生しても再生データを補正する手段を備える光ディスク装置（光ディスク再生部）を提供する。【解決手段】  光ディスク装置（光ディスク再生部）の制御部は、入力されてデコードされたディジタルデータに対してエラー検出を行い、エラー検出されれば、これを記憶する（Ｓ１→Ｓ２→Ｓ３）。そして、複数のエラー検出信号が記憶されると、これらのエラー検出信号からエラーの発生の周期性が存在すれば、エラー発生周期を検出する（Ｓ４→Ｓ５→Ｓ６）。そして、このエラー発生周期とエラー発生タイミングとを用いて、デコードしたディジタルデータからエラー検出された部分に対応するデータを削除して、正確に読み出されたデータを連続してなる補正ディジタルデータを生成して出力する（Ｓ７）。【選択図】  図２
2005339616.tif 000002
【特許請求の範囲】
【請求項１】
光ディスクに記録されている情報を読み出す情報読出手段と、
該情報読出手段により読み出された情報を所定形式のディジタルデータに変換するデータ再生手段と、
テレビジョン放送信号を受信して映像データを再生するテレビ再生手段と、
該テレビ再生手段または前記データ再生手段で再生された映像データに基づく映像を出力するモニターと、
前記データ再生手段で再生された音声データをアナログ変換した音声信号が出力されるスピーカとを備えた光ディスク装置において、
前記データ再生手段で再生されたディジタルデータのエラー検出を行うエラー検出手段と、
該エラー検出手段で検出されたエラーのエラー発生周期を検出するエラー発生周期検出手段と、
前記エラー検出手段で検出したエラー発生のタイミングと、前記エラー発生周期検出手段で検出したエラー周期に応じて、前記ディジタルデータのエラー発生部のデータを削除して、前記ディジタルデータの補正を行うデータ補正手段と、を、
前記データ再生手段とともに単一ＩＣに組み込んだことを特徴とする光ディスク装置。
【請求項２】
光ディスクに記録されている情報を読み出す情報読出手段と、
該情報読出手段により読み出された情報を所定形式のディジタルデータに変換するデータ再生手段と、
該データ再生手段で再生された音声データをアナログ変換した音声信号が出力されるスピーカとを備えた光ディスク装置において、
前記データ再生手段で再生されたディジタルデータのエラー検出を行うエラー検出手段と、
該エラー検出手段で検出されたエラーのエラー発生周期を検出するエラー発生周期検出手段と、
前記エラー検出手段で検出したエラー発生のタイミングと、前記エラー発生周期検出手段で検出したエラー周期に応じて、前記ディジタルデータのエラー発生部のデータを削除して、前記ディジタルデータの補正を行うデータ補正手段と、を備えたことを特徴とする光ディスク装置。
【請求項３】
前記データ再生手段と、前記エラー検出手段と、前記エラー発生周期検出手段と、前記データ補正手段とが、単一ＩＣに組み込まれている請求項２に記載の光ディスク装置。
【請求項４】
請求項２または請求項３に記載の光ディスク装置と、テレビジョン放送信号を受信して映像データを再生するテレビ再生手段と、該テレビ再生手段または前記データ再生手段で再生された映像データに基づく映像を出力するモニターと、を備えた複合テレビジョン装置。
【発明の詳細な説明】
【技術分野】
【０００１】
この発明は、光ディスクに記録されている情報を再生して出力する光ディスク装置、およびこれを備えた複合テレビジョン装置に関し、特に、前記光ディスク装置での情報読み出し時のエラー補正に関するものである。
【背景技術】
【０００２】
従来、光ディスク装置では、光ディスクの面ぶれや偏心等により、光ディスクに記録されている情報を正確に読み出せない場合のために、読み出したデータからエラーを検出して補正する手段が備えられている。このような従来の光ディスク装置のエラーを検出して補正する手段には、入力されたデータからエラーが検出されると、読み出しリトライ動作を行ったり、入力されたデータに所定のフィルタリング処理を行って補正を行っている（例えば、特許文献１、特許文献２、特許文献３参照。）。
【特許文献１】特開２００２−３２４３７０公報
【特許文献２】特開２００１−３３８４７６公報
【特許文献３】特開平１０−１１６４７１号公報
【発明の開示】
【発明が解決しようとする課題】
【０００３】
ところが、光ディスク装置にスピーカが内蔵されている場合、例えば、光ディスク再生機能付きテレビジョン装置等では、光ディスクを再生する際に、再生された音声信号によりスピーカが振動する。この振動は、当然に同じ筐体内にある光ディスク再生部分（光ディスク装置部分）に伝搬される。
【０００４】
このような振動は、光ディスクから情報を読み取る光ピックアップや、光ディスク自体に伝搬されて、面振れ等が発生して読み出しエラーが発生する。このように読み出しエラーが発生することで、再生される映像データや音声データが部分的に欠如してしまい、これを出力した場合に、音とびや映像とびが発生してユーザに不快感を与えることとなる。
【０００５】
したがって、この発明の目的は、スピーカが内蔵されている光ディスク装置において、このスピーカから発生する振動により読み出しエラーが発生しても再生データを補正する手段を備える光ディスク装置およびこれを備えた複合テレビジョン装置を提供することにある。
【課題を解決するための手段】
【０００６】
この発明は、光ディスクに記録されている情報を読み出す情報読出手段と、この情報読出手段により読み出された情報を所定形式のディジタルデータに変換するデータ再生手段と、このデータ再生手段で再生された音声データをアナログ変換した音声信号が出力されるスピーカとを備えた光ディスク装置において、データ再生手段で再生されたディジタルデータのエラー検出を行うエラー検出手段と、このエラー検出手段で検出されたエラーのエラー発生周期を検出するエラー発生周期検出手段と、エラー検出手段で検出したエラー発生のタイミングおよびエラー発生周期検出手段で検出したエラー周期に応じてディジタルデータのエラー発生部のデータを削除してディジタルデータの補正を行うデータ補正手段と、を備えたことを特徴としている。
【０００７】
この構成では、スピーカから発生する振動の周波数が略一定であることを利用する。
【０００８】
データ再生手段でディジタルデータを再生する際に、エラー検出手段は、既知の方法を用いてディジタルデータのエラーを検出する。そして、エラー発生周期検出手段は、エラー検出手段で検出したエラーの検出タイミングを時系列で記憶して、エラー検出タイミングの周期、すなわちエラー発生周期を検出する。この際、前述のように、スピーカから発生する振動は略一定の周波数（周期）であるので、エラー発生周期検出手段で検出されるエラー発生周期は略一定となる。データ補正手段は、エラー検出手段で検出されたエラー検出タイミングと、エラー発生周期検出手段で検出したエラー発生周期とを用いて、データ再生手段から出力されるディジタルデータ（映像・音声複合データ）から該当する部分、すなわち、読み出しエラーの検出されている部分に該当するディジタルデータをフィルタリング処理する。言い換えれば、この読み出しエラーの検出されている部分に該当するディジタルデータを削除し、この読み出しエラー検出部分の前のディジタルデータに読み出しエラー検出部分の後のディジタルデータを連続させる。これにより、読み出しエラーにより正確に読み出されなかったディジタルデータを飛ばして、正確に読み出された部分のみからなるディジタルデータが生成される。
【０００９】
また、この発明の光ディスク装置は、データ再生手段とエラー検出手段とエラー発生周期検出手段とデータ補正手段とを単一ＩＣに組み込むことを特徴としている。
【００１０】
この構成では、これらの手段が同一ＩＣ内に組み込まれていることで、これを備える光ディスク装置が小型化されるとともに制御が容易となる。
【００１１】
また、この発明は、前述の光ディスク装置と、テレビジョン放送信号を受信して映像データを再生するテレビ再生手段と、テレビ再生手段またはデータ再生手段で再生された映像データに基づく映像を出力するモニターと、を備えて複合テレビジョン装置を構成することを特徴としている。
【００１２】
この構成では、光ディスク装置を内蔵するテレビジョン装置の場合、当然にスピーカが内蔵されているので、前述の構成が適用され、このような複合テレビジョン装置であっても、正確に読み出された部分のみからなるディジタルデータが生成されて、スピーカやモニタに再生される。
【発明の効果】
【００１３】
この発明によれば、読み出しエラーにより正確に読み出されなかったディジタルデータが削除されて、正確に読み出された部分のみからなるディジタルデータが生成されることで、光ディスクに記録されているデータを従来よりも正確に再生する光ディスク装置、および、これを備えた複合テレビジョン装置を構成することができる。
【発明を実施するための最良の形態】
【００１４】
本発明の実施形態に係る複合テレビジョン装置について、図を参照して説明する。
【００１５】
図１は本実施形態の複合テレビジョン装置の光ディスク再生に関する部分を示した概略構成図である。
【００１６】
本実施形態の複合テレビジョン装置は、図１に示すような光ディスク再生部（本発明の「光ディスク装置」に相当。）と、アンテナで受信したテレビジョン放送信号を再生するテレビジョン放送信号再生部（本発明の「テレビ再生手段」に相当。）（図示せず。）と、を備える。
【００１７】
複合テレビジョン装置の光ディスク再生部は、光ピックアップ１、トラバース機構２、ステッピングモータ３、ターンテーブル４、スピンドルモータ５、モータドライバ６、制御部１０、メモリ１１、オーディオＤＡＣ７、ビデオコントローラ８を備える。また、光ディスク再生部は、音声信号を出力するスピーカ２１、および、映像信号を出力するモニタ２２を含む。
【００１８】
光ピックアップ１は、図示しないレーザダイオード、コリメータレンズ、ビームスプリッタ、対物レンズ、フォトディテクタを備えており、光ディスク１００に対してレーザダイオードからレーザ光を照射し、光ディスク１００からの反射光をフォトディテクタで電気信号に変換することによって、光ディスク１００に記録されている情報を光学的に読み出す。フォトディテクタは、例えば、受光領域がほぼ均等に４分割されており、４つの受光領域からの電気信号をＲＦアンプ１２に出力する。また、光ピックアップ１１は、光ディスク１００に照射するレーザ光の焦点をその光軸方向に移動させるフォーカシングアクチュエータ（図示せず）と、前記レーザ光を光ディスク１００の半径方向に移動させるトラッキングアクチュエータ（図示せず）とを備えている。そして、後述するフォーカシングエラー信号およびトラッキングエラー信号に基づきフォーカシング制御およびトラッキング制御を行うことで、レーザ光を所望の記録トラックに追随させるとともにこの記録トラックにレーザ光の焦点を合わせる。
【００１９】
トラバース機構２は、光ピックアップ１に接続するとともに、ステッピングモータ３に接続し、このステッピングモータ３の回転により、光ピックアップ１を光ディスク１００の径方向に移動させる。
【００２０】
ターンテーブル４は、光ディスク１００の中心に形成された孔に挿嵌されることで、光ディスク１００を保持する。このターンテーブル４はスピンドルモータ５に接続しており、このスピンドルモータ５の回転によりターンテーブル４が回転して、光ディスク１００を所定の速度で回転させる。
【００２１】
制御部２は、例えばマイクロコンピュータで構成されており、それぞれ図示しない、データ再生部と、エラー検出部と、エラー発生周期検出部と、データ補正部とを備える。また、制御部２はサーボ回路（図示せず。）を備える。このような制御部２は、前記各部を可能な限り同一のＩＣ内に集約して形成しており、例えば、データ再生部と、エラー検出部と、エラー発生周期検出部と、データ補正部とが同一ＩＣ内に形成されている。このような構造とすることで、光ディスク再生部全体が小型化され、ひいては複合テレビジョン装置が小型化される。
【００２２】
データ再生部は、ＲＦアンプ１２が光ピックアップ１で読み出した信号を増幅して出力した信号に復調処理して所定形式のディジタルデータに再生する。また、データ再生部は、ＲＦアンプから出力される信号から光ディスク１００の回転数を示す信号を生成してサーボ回路へ出力する。
【００２３】
エラー検出部は、データ再生部で再生されたディジタルデータに対してエラー検出処理を行い、エラーが検出されるとエラー検出信号を生成して出力する。
【００２４】
エラー発生周期検出部は、エラー検出部から出力されるエラー検出信号を時系列に記憶し、記憶された複数のエラー検出信号に周期性が存在するかどうかを判定する。そして、、これらのエラー検出信号に周期性が存在する場合に、発生周期を検出してデータ補正部に出力する。また、エラー発生周期検出部は、記憶されたエラー検出信号に周期性が存在する場合に、入力されるエラー検出信号から各エラー検出信号の時間的長さを観測して、データ補正部に出力する。
【００２５】
データ補正部は、エラー検出部から出力されるエラー検出信号のタイミングと、エラー発生周期検出部から出力されるエラー発生周期検出信号およびエラー部の時間長さを表す信号とに基づき、データ再生部から出力されるディジタルデータから、エラー検出された部分を削除して、連続したディジタルデータを生成して出力する。
【００２６】
このように補正されたディジタルデータは制御部２の他部で映像データと音声データとに再生されて、音声データはオーディオＤＡＣ７に出力され、映像データはビデオコントローラ８に出力される。
【００２７】
サーボ回路は、ＲＦアンプが出力したフォーカシングエラー信号（ＦＥ信号）、トラッキングエラー信号（ＴＥ信号）に基づいて、ＦＥ信号の値を０（基準レベル）にするためのフォーカシング駆動信号、ＴＥ信号の値を０（基準レベル）にするためのトラッキング駆動信号及びトラバース駆動信号を生成してモータドライバ６に出力する。また、サーボ回路は、データ再生部が出力する光ディスク１００の回転数を示す信号に基づいて、光ディスク１００の回転数を目標値にするためのスピンドルモータ駆動信号を生成しモータドライバ６に出力する。また、サーボ回路は、シーク制御信号に基づいて、光ピックアップ１００を所定位置に移動させるためのトラバース駆動信号を生成してモータドライバ６に出力する。
【００２８】
モータドライバ６は、フォーカシング駆動信号に基づいて光ピックアップ１内のフォーカシングアクチュエータを駆動し、トラッキング駆動信号に基づいてトラッキングアクチュエータを駆動する。また、モータドライバ６は、トラバース駆動信号に基づいて光ピックアップ１を光ディスク１００の半径方向に移動させるトラバース機構２に備えられたステッピングモータ３を駆動し、スピンドルモータ駆動信号に基づいて光ディスク１００を載置するターンテーブル４を所定回転数で回転させるスピンドルモータ５を駆動する。
【００２９】
オーディオＤＡＣ７は入力された音声データを所定のアナログ音声信号に変換して、スピーカ２１に出力する。スピーカ２１は入力されるアナログ音声信号に応じて、振動して音声を外部に出力する。
【００３０】
ビデオコントローラ８は、入力される映像データに基づき、接続されるモニタ２２の仕様に応じた映像信号または映像データに変換してモニタ２２に出力する。モニタ２２は、この映像信号または映像データにより駆動して外部に映像を出力する。
【００３１】
また、テレビジョン放送信号再生部は、アンテナから入力されたテレビジョン放送信号から、指定されたチャンネルのテレビジョン放送信号を抽出して増幅し、ＩＦ信号を生成する。そして、テレビジョン放送信号再生部は、このＩＦ信号を所定ディジタル形式のデータに変換して、制御部１０に出力する。制御部１０は、入力されたディジタルデータを映像データと音声データとに変換して、音声データをオーディオＤＡＣ７に出力し、映像データをビデオコントローラ８に出力する。
【００３２】
このような構成の複合テレビジョン装置では、スピーカが音声を出力する際に発生する振動が光ディスク再生部のターンテーブルに載置された光ディスク１００や光ピックアップ１に、伝搬されて、面振れが発生して、読み出しエラーが発生する。
【００３３】
この際、制御部２は、次に示す処理を行って、この面振れに対する読み出しエラーを処理する。
【００３４】
図２は、エラー発生時の制御部２の処理を示すフローチャートである。
【００３５】
また、図３は、本実施形態に示すエラー処理を行う前後のディジタルデータを概念的に示す図である。
【００３６】
制御部２のデータ再生部は、光ディスク１００から光ピックアップ１で光学的に読み出して電気信号に変換された読み出し信号が入力されると、所定形式のディジタルデータに変換（デコード）する（Ｓ１→Ｓ２）。このデコードされたディジタルデータはエラー検出部に入力され、エラー検出される（Ｓ３）。エラー検出部はエラー検出するとエラー検出信号を出力するので、エラー発生周期検出部は、このエラー検出信号を記憶しておき、複数回のエラー検出信号が記憶されると、これらエラー検出信号の発生タイミングに周期性が存在するかどうかを判定する（Ｓ４→Ｓ５）。ここで、記憶された複数のエラー検出信号に周期性がなければ、制御部２はサーボ回路からスピンドルモータの回転数を低下させて、再度読み出しを行わせる制御信号をモータドライバ６に出力する等の補正を行う（Ｓ５→Ｓ８）。
【００３７】
記憶された複数のエラー検出信号に周期性が存在すれば、エラー発生周期検出部は、これら記憶された複数のエラー検出信号のタイミング、例えば、エラー検出時点、すなわち、ディジタルデータの欠如が開始する時点を、それぞれのエラー検出信号に対して検出し、これら検出されたタイミングの周期（図３（ａ）に示すＴE ）を算出する。また、エラー発生周期検出部は、周期性が確認されると、入力されて記憶されたエラー検出信号の長さを算出して、エラー検出された部分に相当するディジタルデータの時間的長さを算出する（Ｓ６）。
【００３８】
データ補正部は、エラー発生周期検出部から入力されるエラー発生周期信号、およびエラー長さに関する信号と、エラー検出部から入力されるエラー検出信号とに基づいて、データ再生部から入力されて、メモリ１１に記憶されているディジタルデータを、エラー発生タイミング（周期ＴE ）に合わせて所定の時間長さのデータ単位で削除する。そして、データ補正部は、部分的に削除されたディジタルデータを時系列で連続化して新たなディジタルデータとして出力する。すなわち、エラー発生部に対応する部分を所定間隔でフィルタリングして、エラーが発生していない、正確に読み出されたディジタルデータのみが連続して出力される（Ｓ７）。
【００３９】
例えば、図３に示すように、所定周期ＴE でディジタルデータ２００ａ〜２００ｆまでが不連続に存在する場合、すなわち、各ディジタルデータ２００ａ〜２００ｆのそれぞれの間に、スピーカ２１の振動による面振れエラーによって所定長さのデータ無し部が存在する場合に、このデータ無し部を含む所定の時間長さのデータを削除する。そして、これれらデータ無し部を除くディジタルデータ２００ａ〜２００ｆが連続した、図３（ｂ）に示すような補正ディジタルデータを生成して出力する。
【００４０】
このような構成とすることで、スピーカの振動による面振れ等の周期的に発生する読み出しエラーを検出して、この読み出しエラーに対応する読み出されなかったデータを省略して、正確に読み出されたディジタルデータのみを連続して再生することができる。これにより、従来のように、データが読み出せないことにより映像や音声が途中で所定時間切れて、また出力されるような現象が発生せず、ユーザに対する不快感が改善される。
【００４１】
なお、前述の説明では、光ディスク装置を備える複合テレビジョン装置に関して説明したが、スピーカを備える光ディスク装置、例えば、スピーカ付きＣＤプレイヤや、スピーカ付きＤＶＤプレイヤのような装置であっても、前述の構成を適用することができ、前述の効果を奏することができる。
【図面の簡単な説明】
【００４２】
【図１】本実施形態の複合テレビジョン装置の光ディスク再生に関する部分を示した概略構成図
【図２】エラー発生時の制御部２の処理を示すフローチャート
【図３】本実施形態に示すエラー処理を行う前後のディジタルデータを概念的に示す図
【符号の説明】
【００４３】
１−光ピックアップ
２−トラバース機構
３−ステッピングモータ
４−ターンテーブル
５−スピンドルモータ
６−モータドライバ
７−オーディオＤＡＣ
８−ビデオコントローラ
１０−制御部
１１−メモリ
２１−スピーカ
２２−モニタ
１００−光ディスク
２００ａ〜２００ｆ−ディジタルデータ
【図１】
2005339616.tif 000003
【図２】
2005339616.tif 000004
【図３】
2005339616.tif 000005